(57)【要約】      （修正有）【課題】部品点数の削減を図った、構造が簡単で安価に製造できる扇子を提供する。【解決手段】扇子は、左扇片部２及び右扇片部３と、これら左右の扇片部の間に配置された１ないし複数枚の中間扇片部４と、各扇片部の基部を軸支する連結部材とを有する、折り畳み可能な扇部１と、前記中間扇片部４及び前記左扇片部２に設けられたスライド孔とを有する。さらに、前記右扇片部３及び前記中間扇片部４に設けられた、各扇片部の左側に隣接するスライド孔にスライド可能に挿入される切抜き片と、前記スライド孔に挿入された前記切抜き片が該スライド孔から抜け出ることを防止する規制部材とを備える。【選択図】図１
0003178626.tif 000002
【実用新案登録請求の範囲】
【請求項１】
a)左扇片部及び右扇片部と、これら左右の扇片部の間に配置された１ないし複数枚の中間扇片部と、各扇片部の基部を軸支する連結部材とを有する、折り畳み可能な扇部と、
b)前記中間扇片部及び前記左扇片部に設けられたスライド孔と、
c)前記右扇片部及び前記中間扇片部に設けられた、各扇片部の左側に隣接するスライド孔にスライド可能に挿入される切抜き片と、
d)前記スライド孔に挿入された前記切抜き片が該スライド孔から抜け出ることを防止する規制部材と
を備えることを特徴とする扇子。
【請求項２】
前記切抜き片が、前記扇部を展開した時に隣接する扇片部と上下に位置をずらして形成されていることを特徴とする請求項１に記載の扇子。
【考案の詳細な説明】
【技術分野】
【０００１】
本考案は、宣伝広告用媒体として好適な扇子に関する。
【背景技術】
【０００２】
団扇や扇子は、その扇部に宣伝広告用のメッセージや絵柄等を印刷することができることから、街頭や店頭等で配布される宣伝広告媒体として広く利用されている（特許文献１、２参照）。
団扇には、扇部に柄が取り付けられた柄付き団扇、柄の代わりに親指等を挿入する指穴を扇部に設けた穴あき団扇（柄なし団扇）がある。いずれも、扇部が大きいと、該扇部に印刷した宣伝広告用のメッセージや絵柄等が目立つ反面、鞄等に収まらず、持ち運びに不便である。
【先行技術文献】
【特許文献】
【０００３】
【特許文献１】特開2010-148595号公報
【特許文献２】特開2011-115363号公報
【考案の概要】
【考案が解決しようとする課題】
【０００４】
一方、扇子は、基部を要（かなめ）で束ねた複数本の竹製又は木製の骨に、紙や布を貼り付けて扇部を形成したもので、不使用時に扇部を折りたたむことができるため、扇部が多少大きくても鞄等に収納できる。しかし、団扇に比べて部品点数が多く、構造が複雑であるため、製造コストがかかる。骨を紙製にして原材料費の低減を図った扇子も提供されているが（特許文献２参照）、部品点数は削減はされておらず、製造コストを大きく低減することができない。
【０００５】
本考案が解決しようとする課題は、部品点数の削減を図った、構造が簡単で安価に製造できる扇子を提供することである。
【課題を解決するための手段】
【０００６】
上記課題を解決するために成された本考案に係る扇子は、
a)左扇片部及び右扇片部と、これら左右の扇片部の間に配置された１ないし複数枚の中間扇片部と、各扇片部の基部を軸支する連結部材とを有する、折り畳み可能な扇部と、
b)前記中間扇片部及び前記左扇片部に設けられたスライド孔と、
c)前記右扇片部及び前記中間扇片部に設けられた、各扇片部の左側に隣接するスライド孔にスライド可能に挿入される切抜き片と、
d)前記スライド孔に挿入された前記切抜き片が該スライド孔から抜け出ることを防止する規制部材と
を備えることを特徴とする。
【０００７】
上記構成の扇子においては、前記切抜き片が、前記扇部を展開した時に隣接する扇片部と上下に位置をずらして形成されていることが好ましい。このような構成によれば、隣接する扇片部に設けられた切抜き片が互いに邪魔されることなくスライド孔内をスライドすることができるため、扇部を折り畳んだり広げたりする動作をスムーズに行うことができる。
【考案の効果】
【０００８】
本考案の扇子は、扇片部の切抜き片部を隣接する扇片部のスライド孔に挿入すると共に扇片部の基部を連結部材で連結することにより組み立てることができる。このように、本考案の扇子では、従来の扇子が備える骨をなくしたため、部品点数の低減、製造工程の削減を図ることができ、低コストで製造することができる。
【図面の簡単な説明】
【０００９】
【図１】本考案の扇子の具体的な実施例を示しており、（ａ）は扇部を展開した状態の正面図、（ｂ）は扇部を折り畳んだ状態の正面図。
【図２】扇部を構成する７枚の扇片部と連結ピンを示す図。
【図３】扇部を構成する７個の扇片部が打ち抜かれる１枚の紙製シートの平面図。
【図４】実際の製造例である扇子の扇部を展開した状態の正面図。
【図５】扇部を折りたたんだ状態の正面図。
【図６】扇片部が印刷された紙製シートの平面図。
【図７】本考案の扇子の別の実施例を示す図３相当図。
【考案を実施するための形態】
【００１０】
以下、本考案に係る扇子の具体的な実施例を図面を参照しながら説明する。
【実施例】
【００１１】
図１は本考案の一実施例に係る扇子の正面図であり、（ａ）は扇部を展開した状態、（ｂ）扇部を折り畳んだ状態を示す。また、図２は本実施例に係る扇を構成する全部品を示す図である。以下では、図１の紙面上下左右を、扇子の上下左右として説明する。
これら図１及び図２に示すように、扇子は、扇部１を展開したときに左端及び右端に位置する左扇片部２及び右扇片部３と、これら左扇片部２及び右扇片部３の間に位置する複数の中間扇片部４と、これら扇片部２、３及び４を各基部で連結する連結ピン（要材）５とから構成されている。連結ピン５は雄部と雌部から構成されている。
ここでは、５枚の中間扇片部４を有する例を示したが、中間扇片部４は１枚でも良く、また２枚〜４枚、或いは６枚以上でも良い。中間扇片部４の枚数が多いと１枚当たりの幅が小さくなり、小さく折り畳むことができるが、その分、各中間扇片部４の強度が低下してしまう。中間扇片部４の強度及び扇部１を折り畳んだときの大きさを勘案すると、中間扇片部４の枚数は４〜５枚程度が好適である。
【００１２】
本実施例の扇片部は従来の扇子の骨と扇面の一部を一体化したものであり、各扇片部の基部には連結ピン５が挿入される孔部６が形成されている。
左扇片部２には、下から４分の１程度の位置であってやや右寄りの位置に矩形状のスライド孔７が形成されている。また、左扇片部２の左上部には扇部１を展開する時に指先でつまむためのつまみ片８が形成されている。
右扇片部３には、下から３分の１程度の位置に切抜き片９が形成されている。切抜き片９は、右扇片部３に斜め下向きのＵ字状の切り込みを入れることにより形成されたもので、左側の先端部が左上方向に延びている。また、右扇片部３の右上部には扇部１を展開する時に指先でつまむためのつまみ片１０が形成されている。
【００１３】
中間扇片部４には、それぞれスライド孔７と切抜き片９が１個ずつ形成されている。各中間扇片部４のスライド孔７及び切抜き片９は、上下に位置をずらして形成されており、かつ、隣接する中間扇片部ではスライド孔７及び切抜き片９の上下の位置が逆になっている。具体的には、５枚の中間扇片部を、左から右に向かってそれぞれ第１、第２、…第５の扇片部４ａ〜４ｅとすると、第１扇片部４ａでは、下から４分の１程度の位置に切抜き片９が形成され、下から３分の１程度の位置にスライド孔７が形成されている。このスライド孔７は前記左扇片部２のスライド孔７より幅広で、該扇片部４ａの左右方向中心に位置している。
【００１４】
第２扇片部４ｂでは、下から４分の１程度の位置に切抜き片９が形成され、下から３分の１程度の位置にスライド孔７が形成されている。以下、第３扇片部４ｃ及び第５扇片部４ｅは第１扇片部４ａと同じようにスライド孔７と切抜き片９が形成され、第４扇片部４ｄは第２扇片部４ｂと同じようにスライド孔７と切抜き片９が形成されている。
なお、説明の便宜上、図１では、実際は扇部の表面からは見えない切抜き片９についても全て実線で示している。また、図２に示すように、本実施例では、第１、第２、第５扇片部の切抜き片９は先端が左上を向いており、第３及び第４扇片部の切抜き片９は先端が左下を向いているが、全ての切抜き片９の先端が左上あるいは、左下を向いていても良い。
【００１５】
次に、本実施例に係る扇子の製造方法を説明する。
初めに、扇子を構成する７枚の扇片部２〜４を、木型を使ったトムソン加工（打ち抜き加工）により１枚の厚手の紙製シートから打ち抜く。図３は、紙製シート１１にトムソン加工によるアタリ罫を一点鎖線示したもので、１回のトムソン加工により７枚の扇片部２〜４が、スライド孔７、切抜き片９、孔部５と共に打ち抜かれる。続いて、扇片部２〜４を紙製シート１１から取り外すと共に各扇片部２〜４のスライド孔７や孔部５の内側を抜き取る。
【００１６】
なお、扇片部２〜４を切り抜く前段階で、紙製シート１１の各扇片部２〜４が打ち抜かれる部分に文字や図柄等を印刷しておくと良い。紙製シート１１に印刷する文字や図柄は、扇部１を展開したときにその全体に一つのまとまりのある文字や図柄が現れるように、隣接する扇片部２〜４同士の重なり部分を考慮して設定される。
【００１７】
次に、左扇片部２の上に第１扇片部４ａを重ね、該左扇片部２のスライド孔７に第１扇片部４ａの切抜き片９を挿入する。続いて、第１扇片部４ａの上に第２扇片部４ｂを重ね、第２扇片部４ｂの切抜き片９を第１扇片部４ａのスライド孔７に挿入する。この作業を右扇片部３まで繰り返し、全ての扇片部２〜４のスライド孔７に、隣接する扇片部の切抜き片９を挿入した後、全扇片部２〜４の孔部５に連結ピン５を嵌める。以上により、扇子が完成する。
【００１８】
このような構成の扇子の扇部１を展開する時はつまみ片８、１０の一方或いは両方を指先でつまんで広げる。すると、扇片部２〜４の切抜き片９が、該切抜き片９の先端がスライド孔７の開口縁に当接するまでスライド孔７に沿ってスライドする。従って、本実施例では、切抜き片９の先端が規制部材として機能する。この結果、図１に示す展開状態となる。
このとき、隣接する扇片部においてスライド孔７及び切抜き片９の位置が上下にずらして設けられているため、また、第１、第３、第５扇片部に設けられた切抜き片９の先端の向が上向き、下向き交互になるように、且つ、第２、第４、右扇片部に設けられた切抜き片９の先端の向きが上向き、下向きに交互になるように構成したため、隣接する扇片部の切抜き片９の動作が互いに邪魔されることがなく、スムーズに行うことができる。
【００１９】
図４〜図６に実際の扇子の製造例を示す。図４は扇部を展開した状態の正面図、図５は折り畳んだ状態の正面図、図６が各扇片部２〜４が打ち抜かれる紙製シートの例を示す図である。なお、図１の（ａ）に示したように扇部を展開したときに一部の切抜き片９が見えるが、図４ではそれらの図示を省略している。
この製造例では、扇部１を展開した時に該扇部１全体としてまとまりのある宣伝広告用のメッセージ及び図柄となるように、各扇片部２〜４に文字や図柄が印刷されている。そのため、紙製シート１１のうち扇片部が打ち抜かれる部分（図６に実線で示す部分）に数ｍｍの仕上げ代を含めた領域に文字や図柄が印刷されている。このように、本考案の扇子では、紙製シート１１の状態で扇部の全体に印刷する宣伝広告用のメッセージや図柄を簡単に印刷することができるため、その点でも、宣伝広告用の扇子を簡単に且つ安価に製造することができる。
【００２０】
このように、本実施例の扇子は、一般的な扇子が備える骨と扇面の一部を一体化すると共に、各扇片部を切り抜くことにより形成したスライド孔７及び切抜き片９を用いて扇片部２〜４同士を連結した。このため、部品点数を低減すると共に製造工程を簡略化することができ、製造コストを削減することができる。
【００２１】
なお、本考案は上記した実施例に限定されるものではない。例えば、紙製シート１１から打ち抜く７枚の扇片部は、図７に示すような配置でも良い。このような配置で扇片部を紙製シートから打ち抜くと、扇片部を打ち抜いた後に残る無駄な部分を少なくすることができる。
【００２２】
また、左右の扇片部に形成したつまみ片は省略しても良い。
扇片部の一方の面（表面）だけでなく他方の面（裏面）にもメッセージや図柄を印刷しても良い。
扇片部はプラスチック製シートから打ち抜いても良い。
【符号の説明】
【００２３】
１…扇部
２…左扇片部
３…右扇片部
４…中間扇片部
５…連結ピン
６…孔部
７…スライド孔
８、１０…つまみ片
９…切抜き片
１１…紙製シート
【図１】
0003178626.tif 000003
【図２】
0003178626.tif 000004
【図３】
0003178626.tif 000005
【図４】
0003178626.tif 000006
【図５】
0003178626.tif 000007
【図６】
0003178626.tif 000008
【図７】
0003178626.tif 000009
【手続補正書】
【提出日】平成24年7月13日(2012.7.13)
【手続補正１】
【補正対象書類名】明細書
【補正対象項目名】００１５
【補正方法】変更
【補正の内容】
【００１５】
次に、本実施例に係る扇子の製造方法を説明する。
初めに、扇子を構成する７枚の扇片部２〜４を、木型を使ったトムソン加工（打ち抜き加工）により１枚の厚手の紙製シートから打ち抜く。図３は、紙製シート１１にトムソン加工によるアタリ罫を一点鎖線示したもので、１回のトムソン加工により７枚の扇片部２〜４が、スライド孔７、切抜き片９、孔部６と共に打ち抜かれる。続いて、扇片部２〜４を紙製シート１１から取り外すと共に各扇片部２〜４のスライド孔７や孔部６の内側を抜き取る。
【手続補正２】
【補正対象書類名】明細書
【補正対象項目名】００１７
【補正方法】変更
【補正の内容】
【００１７】
次に、左扇片部２の上に第１扇片部４ａを重ね、該左扇片部２のスライド孔７に第１扇片部４ａの切抜き片９を挿入する。続いて、第１扇片部４ａの上に第２扇片部４ｂを重ね、第２扇片部４ｂの切抜き片９を第１扇片部４ａのスライド孔７に挿入する。この作業を右扇片部３まで繰り返し、全ての扇片部２〜４のスライド孔７に、隣接する扇片部の切抜き片９を挿入した後、全扇片部２〜４の孔部６に連結ピン５を嵌める。以上により、扇子が完成する。